(57)【要約】      （修正有）【課題】受変電設備の冷却媒体が噴出し、広く飛散すると回収には多くの労力と時間を要するため、飛散の範囲を最小限に留める構造を提供する。【解決手段】受変電設備１０は、外箱となる直方体状の外箱１と蓋板２を備える。外箱１は、少なくとも変圧器を内在すると共に、冷却媒体を収容している。受変電設備１０は、外箱１のフランジと蓋板２の接合部の上方と側方を覆う複数の飛散防止カバー部材３１、３２、３３、３４ａ、３４ｂを備えている。【選択図】図１
2019009350.tif 000002
【特許請求の範囲】
【請求項１】
液体冷却媒体中に通電部を収容する外箱、及び、この外箱の上面を密封自在に覆う蓋板を備える受変電設備であって、
前記外箱と前記蓋板との接合部の上方と側方を覆うためのカバーを備えている、ことを特徴とする受変電設備。
【請求項２】
請求項１記載の受変電設備において、
前記カバーが、前記外箱と前記蓋板との接合部の全周あるいはその一部に取り付けられる、ことを特徴とする受変電設備。
【請求項３】
請求項１又は２記載の受変電設備において、
前記カバーが、一つ又は複数の直線的な部品に分割されている、ことを特徴とする受変電設備。
【請求項４】
請求項１から３のいずれかに記載の受変電設備において、
前記カバーは、前記受変電設備の構造材を利用して、取り付け・取り外しを可能とした支持構造を有する、ことを特徴とする受変電設備。
【発明の詳細な説明】
【技術分野】
【０００１】
本発明は、受変電設備に関する。特に、変圧器などの通電部材を絶縁油などの液体の冷却媒体中に収容した外箱と、外箱の上面を密封自在に覆う蓋板で構成される受変電設備に関する。
【背景技術】
【０００２】
受変電設備の一種である計器用変圧変流器（Ｖｏｌｔａｇｅ  Ｃｕｒｒｅｎｔ  Ｔｒａｎｓｆｏｒｍｅｒ：以下、ＶＣＴという）は、計器用変圧器（Ｖｏｌｔａｇｅ  Ｔｒａｎｓｆｏｒｍｅｒ：ＶＴ）、及び、計器用変流器（Ｃｕｒｒｅｎｔ  Ｔｒａｎｓｆｏｒｍｅｒ：ＣＴ）を内部に備えている。ＶＣＴは、高電圧、大電流の受電設備の母線に一次巻線を接続し、二次巻線から変成比に応じた低電圧、低電流を出力し、継電器や電力量計を作動できる。
【０００３】
ＶＣＴは、絶縁油などの冷却媒体を収容した外箱と、外箱の上面を密封自在に覆う蓋板で構成している。外箱は、内蔵する計器用変圧器（ＶＴ）や、計器用変流器（ＣＴ）を冷却するための絶縁油を浸漬している。蓋板は、計器用変流器（ＣＴ）用の一次導体接続用端子２個と、計器用変圧器（ＶＴ）用の一次導体接続用端子１個を上部に突出している。
【０００４】
配電盤などの電気機器の収納箱において、箱内の空気の内圧が上昇したときに、この圧力によって放圧板を開かせて内部圧力を放出させる放圧板を備えた電気機器収納箱が、例えば、特許文献１の従来技術に開示されている。ＶＣＴなどの受変電設備の内部に冷却媒体を有する場合には、その冷却媒体自身の飛散についても考慮する必要があった。
【先行技術文献】
【特許文献】
【０００５】
【特許文献１】実開平５−４１３０７号公報
【発明の概要】
【発明が解決しようとする課題】
【０００６】
電力系統に接続されている受変電設備は、設備外部からの想定以上のサージが設備内部に誘導される場合や、想定内のサージであっても、接続されている電力系統の電気回路的な共振作用によりサージが増幅し、設備内部で絶縁破壊を起こすことが知られている。そのような絶縁破壊に起因して、ガスが発生するなどによる内部圧力の上昇が起こる。
【０００７】
一般的に受変電設備には、内部圧力の上昇を止める保護装置や内部圧力を開放する保護装置が備わっており、それらの保護装置が作動することにより冷却媒体を封入した外箱までも損壊する事態には至らない。しかし、想定以上の急激な内部圧力に対しては、それらの保護装置では対処できなくなり、冷却媒体を封入した容器を損壊し、冷却媒体を容器外部に噴出し、広く飛散させてしまう事態に至る。
【０００８】
飛散した冷却媒体は、産業廃棄物として扱われる物質であり、周辺環境への影響が懸念されるため、その回収が必須である。又、広く飛散した冷却媒体の回収には、多くの労力と時間を要する。
【０００９】
そのため、本発明は、噴出する冷却媒体を最小限の範囲に滴下させることができる受変電設備を提供することにある。
【課題を解決するための手段】
【００１０】
本発明による受変電設備は、発熱部材を冷却するための冷却媒体を収容した任意形状の外箱、及び、この外箱の上面を密封自在に覆う蓋板を備える受変電設備に取り付け自在なカバーであって、前記外箱と前記蓋板の接合部の上方と側方を覆う複数のカバー部材を備えている。
カバーは、受変電設備と同じ金属製であり、防錆処理されている。
カバーは、外箱と蓋板の接合部を覆うように取り付ける。
カバーの断面形状は、接合部の外周を垂直に覆う外面と、その外面端から水平に伸びる天面と、その天面の他端から垂直下方向に延びる内面の３面、又は、外面と天面との間に斜面をも加えた４面で構成される。
【００１１】
カバーの取り付けは、受変電設備を設置場所に据え付けた後でも、受変電設備の改造や、受変電設備の解体組立を伴わず、吊り金具などの既存の外箱構造材を利用してカバーの着脱が容易にできる構造である。
【００１２】
（１）本発明による受変電設備は、液体冷却媒体中に通電部を収容する外箱、及び、この外箱の上面を密封自在に覆う蓋板を備える受変電設備であって、前記外箱と前記蓋板との接合部の上方と側方を覆うためのカバーを備えている、ことを特徴とする。
【００１３】
（２）本発明による受変電設備は、（１）記載の受変電設備において、前記カバーが、前記外箱と前記蓋板との接合部の全周あるいはその一部に取り付けられる、ことを特徴とする。
【００１４】
（３）本発明による受変電設備は、（１）又は（２）記載の受変電設備において、前記カバーが、一つ又は複数の直線的な部品に分割されている、ことを特徴とする。
【００１５】
（４）本発明による受変電設備は、（１）から（３）のいずれかに記載の受変電設備において、前記カバーは、既に設置された受変電設備に対しても、前記外箱と前記蓋板との接合部を解体することなく、前記受変電設備の構造材を利用して、取り付け・取り外しを可能とした支持構造を有する、ことを特徴とする。
【発明の効果】
【００１６】
本発明による受変電設備は、外箱と蓋板の接合部の周囲を覆うカバーを備え、およそ水平方向に噴出された冷却媒体の方向を垂直下方向に向きを変え、冷却媒体を外部の広い範囲に飛散させない。
【００１７】
本発明により、外箱外部に噴出した冷却媒体の回収が容易になる。
【図面の簡単な説明】
【００１８】
【図１】本発明の一実施形態による受変電設備の構成を示す斜視図であり、受変電設備を前面側から観た状態図である。
【図２】前記実施形態による受変電設備の構成を示す斜視図であり、複数のカバー部材を取り外した受変電設備を背面側から観た状態図である。
【図３】前記実施形態による受変電設備の構成を示す斜視図であり、外箱の上面を蓋板で密閉する前の状態である。
【図４】前記実施形態による受変電設備の要部を拡大した斜視図であり、受変電設備を前面側から観た状態図である。
【図５】前記実施形態による受変電設備の要部を拡大した斜視図であり、吊り金具１１ｈを第１取り付け金具４で保持した状態図である。
【図６】前記実施形態による受変電設備に備わる第１取り付け金具４、および第４取り付け金具７の全体の構成を示す図であり、図６（Ａ）は、第１取り付け金具４および第４取り付け金具７の正面図、図６（Ｂ）は、第１取り付け金具４および第４取り付け金具７の平面図、図６（Ｃ）は、図６（Ｂ）のＡ−Ａ矢視断面図である。
【図７】前記実施形態による受変電設備に備わる第１取り付け金具４および第４取り付け金具７の本体４１、および本体７１の構成を示す図であり、図７（Ａ）は、第１取り付け金具４および第４取り付け金具７の本体４１、および本体７１の正面図、図７（Ｂ）は、第１取り付け金具４および第４取り付け金具７の本体４１、および７１の平面図、図７（Ｃ）は、第１取り付け金具４および第４取り付け金具７の本体４１、および７１の右側面図である。
【図８】図６（Ｃ）の拡大図である。
【図９】前記実施形態による受変電設備に備わる第１カバー部材３１の構成を示す図であり、図９（Ａ）は、第１カバー部材３１の正面図、図９（Ｂ）は、第１カバー部材３１の平面図、図９（Ｃ）は、第１カバー部材３１の右側面図、図９（Ｄ）は、第１カバー部材３１の下面図である。
【図１０】前記実施形態による受変電設備に備わる第２カバー部材３２の構成を示す図であり、図１０（Ａ）は、第２カバー部材３２の正面図、図１０（Ｂ）は、第２カバー部材３２の平面図、図１０（Ｃ）は、第２カバー部材３２のＡ−Ａ矢視断面図である。
【図１１】前記実施形態による受変電設備に備わる第３カバー部材３３の構成を示す図であり、図１１（Ａ）は、第３カバー部材３３の正面図、図１１（Ｂ）は、図１１（Ａ）のＡ−Ａ矢視断面図である。
【図１２】前記実施形態による受変電設備に備わる第４カバー部材３４の構成を示す図であり、図１２（Ａ）は、第４カバー部材３４の正面図、図１２（Ｂ）は、第４カバー部材３４の平面図、図１２（Ｃ）は、図１２（Ａ）のＡ−Ａ矢視断面図である。
【図１３】前記実施形態による受変電設備に備わる第２取り付け金具５、および第３取り付け金具６の構成を示す斜視分解組立図である。
【図１４】前記実施形態による受変電設備に備わる第２取り付け金具５および第３取り付け金具６の構成を示す右側面図である。
【図１５】従来技術による受変電設備の構成を示す斜視図である。
【図１６】本発明による受変電設備の概略構成を説明するための概略縦断面図である。
【発明を実施するための形態】
【００１９】
以下、図面を参照して本発明を実施するための形態を説明する。
［受変電設備の構成］
最初に、本発明による受変電設備の概略構成を説明する。図１６は、本発明による受変電設備の概略構成を説明するための概略縦断面図である。
【００２０】
図１６（Ａ）は、従来技術による受変電設備の概略構成を説明するための概略縦断面図である。図１６（Ａ）を参照すると、従来技術による受変電設備１０は、通電部材を冷却するための冷却媒体Ｑを収容した外箱１、及び、外箱１の上面を密封自在に覆う蓋板２を備えている。
【００２１】
図１６（Ｂ）は、図１６（Ａ）の状態変化図である。図１６（Ｂ）を参照して、外箱１の内部の通電部材が絶縁破壊して、内部圧力が急激に上昇した場合には、蓋板２が変形して、冷却媒体Ｑが水平方向に拡散してしまう。
【００２２】
図１６（Ｃ）は、本発明による受変電設備の概略構成を説明するための概略縦断面図である。図１６（Ｃ）を参照すると、本発明による受変電設備１０は、外箱１と蓋板２との接合部の上方と側方を覆うためのカバー３を備えている。
【００２３】
図１６（Ｄ）は、図１６（Ｃ）の状態変化図である。図１６（Ｄ）を参照して、本発明による受変電設備１０は、蓋板２が変形して、冷却媒体Ｑが水平方向に拡散した場合でも、カバー３が冷却媒体Ｑの方向を垂直下方向に向きを変え、冷却媒体Ｑを外部の広い範囲に飛散させない。
【００２４】
図１６（Ｅ）は、カバーの一例を示す縦断面図である。図１６（Ｄ）又は図１６（Ｅ）を参照すると、一例によるカバー３は、外箱１と蓋板２の接合部の外周を垂直に覆う外面と、その外面端から水平に伸びる天面と、その天面の他端から垂直下方向に延びる内面の３面を有している。
【００２５】
図１６（Ｆ）は、カバーの他の例を示す縦断面図である。図１６（Ｆ）を参照すると、他の例によるカバー３は、図１６（Ｅ）に開示した外面と天面との間に斜面をも加えた４面で構成している。
【００２６】
次に、本発明の一実施形態による受変電設備の構成を説明する。なお、受変電設備として、計器用変圧変流器（ＶＣＴ）を例に挙げて説明するが、受変電設備は、ＶＣＴに限定されない。
【００２７】
図１は、本発明の一実施形態による受変電設備の構成を示す斜視図であり、受変電設備を前面側から観た状態図である。
【００２８】
図２は、前記実施形態による受変電設備の構成を示す斜視図であり、複数のカバー部材を取り外した受変電設備を背面側から観た状態図である。図３は、前記実施形態による受変電設備の構成を示す斜視図であり、外箱の上面を蓋板で密閉する前の状態である。
【００２９】
図４は、前記実施形態による受変電設備の要部を拡大した斜視図であり、受変電設備を前面側から観た状態図である。図５は、前記実施形態による受変電設備の要部を拡大した斜視図であり、吊り金具１１ｈを第１取り付け金具４で保持した状態図である。
【００３０】
図６は、前記実施形態による受変電設備に備わる第１取り付け金具４、および第４取り付け金具７の全体の構成を示す図であり、図６（Ａ）は、第１取り付け金具４および第４取り付け金具７の正面図、図６（Ｂ）は、第１取り付け金具４および第４取り付け金具７の平面図、図６（Ｃ）は、図６（Ｂ）のＡ−Ａ矢視断面図である。
【００３１】
図７は、前記実施形態による受変電設備に備わる第１取り付け金具４および第４取り付け金具７の本体４１、および本体７１の構成を示す図であり、図７（Ａ）は、第１取り付け金具４および第４取り付け金具７の本体４１、および本体７１の正面図、図７（Ｂ）は、第１取り付け金具４および第４取り付け金具７の本体４１、および本体７１の平面図、図７（Ｃ）は、第１取り付け金具４および第４取り付け金具７の本体４１、および本体７１の右側面図である。図８は、図６（Ｃ）の拡大図である。
【００３２】
図９は、前記実施形態による受変電設備に備わる第１カバー部材３１の構成を示す図であり、図９（Ａ）は、第１カバー部材３１の正面図、図９（Ｂ）は、第１カバー部材３１の平面図、図９（Ｃ）は、第１カバー部材３１の右側面図、図９（Ｄ）は、第１カバー部材３１の下面図である。
【００３３】
図１０は、前記実施形態による受変電設備に備わる第２カバー部材３２の構成を示す図であり、図１０（Ａ）は、第２カバー部材３２の正面図、図１０（Ｂ）は、第２カバー部材３２の平面図、図１０（Ｃ）は、第２カバー部材３２のＡ−Ａ矢視断面図である。
【００３４】
図１１は、前記実施形態による受変電設備に備わる第３カバー部材３３の構成を示す図であり、図１１（Ａ）は、第３カバー部材３３の正面図、図１１（Ｂ）は、図１１（Ａ）のＡ−Ａ矢視断面図である。
【００３５】
図１２は、前記実施形態による受変電設備に備わる第４カバー部材３４の構成を示す図であり、図１２（Ａ）は、第４カバー部材３４の正面図、図１２（Ｂ）は、第４カバー部材３４の平面図、図１２（Ｃ）は、図１２（Ａ）のＡ−Ａ矢視断面図である。
【００３６】
図１３は、前記実施形態による受変電設備に備わる第２取り付け金具５、および第３取り付け金具６の構成を示す斜視分解組立図である。図１４は、前記実施形態による受変電設備に備わる第２取り付け金具５および第３取り付け金具６の構成を示す右側面図である。
【００３７】
（全体構成）
図３を参照すると、本発明の一実施形態による受変電設備１０は、直方体状の外箱１と蓋板２で構成している。外箱１は、直方体の二つの隅部を斜面で外形を形成している。
【００３８】
図３を参照すると、外箱１は、図示しない通電部材である変流器（ＣＴ）と計器用変圧器（ＶＴ）を内部に備えている。外箱１は、絶縁油などの冷却媒体を内部に収容している。冷却媒体は、通電部材を冷却できる。又、外箱１は、その上面の周囲にフランジ１１ｆを形成している。
【００３９】
図２から図３を参照すると、図示しない複数のボルトを用いて、蓋板２は、その周囲を外箱１のフランジ１１ｆに固定できる。これにより、蓋板２は、外箱１の上面を密封自在に覆っている。
【００４０】
図１５を参照すると、蓋板２は、三つのブッシング１２ｂを上部に突出している。実体として、ブッシング１２ｂは、内部が中空の円筒状の碍子である。又、ブッシング１２ｂは、その基端部が蓋板２と一体に形成したブッシングフランジ２１ｍに着脱自在に固定されている。
【００４１】
図１５を参照すると、二つのブッシング１２ｂは、一次導体接続用端子１２１を先端部に有している。一次導体接続用端子１２１は、ブッシング１２ｂの内部を挿通した電気ケーブルを介して、図示しない変流器（ＣＴ）と電気的に接続している。
【００４２】
図１５を参照すると、一つのブッシング１２ｂは、一次導体接続用端子１２２を先端部に有している。一次導体接続用端子１２２は、ブッシング１２ｂの内部を挿通した電気ケーブルを介して、図示しない計器用変圧器（ＶＴ）と電気的に接続している。
【００４３】
図３を参照すると、蓋板２は、三つのブッシングフランジ２１ｍを上面に有している。図１５を参照すると、ブッシングフランジ２１ｍには、ブッシング１２ｂを着脱自在に固定できる。図３を参照すると、蓋板２は、ケーブル導出穴２１ｈを開口している。ケーブル導出穴２１ｈを介して、外箱１の内部機器に接続した電気ケーブル（図示せず）を外箱１の前面に固定した端子箱（図示せず）に接続できる。
【００４４】
図１を参照すると、受変電設備１０は、第１カバー部材３１、第２カバー部材３２、一対の第３カバー部材３３・３３、及び、一組の第４カバー部材３４ａ・３４ｂで構成した複数のカバー部材３を備えている。実施の形態では、第１から第４のカバー部材を開示したが、これらのカバー部材は、断面形状は同じで、長さだけ異なる１種類のカバー部材３と考えることができる。
【００４５】
図１から図２を参照すると、第１カバー部材３１は、フランジ１１ｆの長辺側の上方と側方を覆っている。第２カバー部材３２は、フランジ１１ｆの短辺側の上方と側方を覆っている。一対の第３カバー部材３３・３３は、フランジ１１ｆの側辺側の上方と側方を覆っている。一組の第４カバー部材３４ａ・３４ｂは、フランジ１１ｆの斜辺側の上方と側方を覆っている。
【００４６】
図１を参照すると、受変電設備１０は、一組のアングル部材３１３・３１３、一組のＶ字状部材３２３・３２３、及び、一組のＶ字状部材３３３・３３３を備えている。アングル部材３１３は、第１カバー部材３１と第３カバー部材３３を着脱自在に連結している。Ｖ字状部材３２３は、第４カバー部材３４ａ又は第４カバー部材３４ｂを第２カバー部材３２に着脱自在に連結している。Ｖ字状部材３３３は、第４カバー部材３４ａ又は第４カバー部材３４ｂを第３カバー部材３３に着脱自在に連結している。
【００４７】
図１を参照すると、実施形態による受変電設備１０は、外箱１と蓋板２の接合部の上方と側方を覆う複数のカバー部材を備えているので、冷却媒体を外部に飛散させることなく、外箱１の周囲に冷却媒体を滴下できる。これにより、冷却媒体が外部に飛散することを抑制できる。
【００４８】
（第１取り付け金具の構成）
次に、実施形態による受変電設備１０に備わる第１取り付け金具４の構成を説明する。図３から図５を参照すると、外箱１は、一対のＪ字状の第１吊り金具１１ｈ・１１ｈを有している。一対の第１吊り金具１１ｈ・１１ｈは、フランジ１１ｆの長辺側の前面板に溶接で固定している。
【００４９】
又、図２から図３を参照すると、外箱１は、一対のＪ字状の第２吊り金具１２ｈ・１２ｈを有している。一対の第２吊り金具１２ｈ・１２ｈは、フランジ１１ｆの斜辺側の斜面板に溶接で固定している。
【００５０】
図２から図５を参照して、一対の第１吊り金具１１ｈ・１１ｈ及び一対の第２吊り金具１２ｈ・１２ｈにワイヤーを係留することで、クレーンなどで受変電設備１０を吊上げることができる。なお、第１吊り金具１１ｈと第２吊り金具１２ｈは、同じものであるが、説明の便宜上、符号を変えて区別した。
【００５１】
図４から図８を参照すると、第１取り付け金具４は、第１吊り金具１１ｈを利用して、外箱１の前面板に着脱自在に固定している。図６又は図８を参照すると、第１取り付け金具４は、第１取り付け金具４の本体４１と円管状の固定軸４２を備えている。
【００５２】
図６から図８を参照すると、第１取り付け金具４の本体４１は、対向配置した一対のガイド板４１１・４１１、一対のガイド板４１１・４１１を外側から囲う一対の帯状の止め板４１２・４１２、及び、帯板状のボルト座４１３を備えている。
【００５３】
図６又は図８を参照すると、一対のガイド板４１１・４１１の間には、第１吊り金具１１ｈをその板厚方向から導入できる。又、一対のガイド板４１１・４１１は、それらの前部をボルト座４１３の底面に溶接で固定している。一対の止め板４１２・４１２は、それらの前部をボルト座４１３の底面に溶接で固定している。
【００５４】
図６から図７を参照すると、ボルト座４１３は、一対のボルト穴４３ｈ・４３ｈを開口している。ボルト穴４３ｈには、長尺のボルトＢ２を挿入できる。
【００５５】
又、図６から図８を参照すると、第１取り付け金具４の本体４１は、一対のアングル部材４１４・４１４と帯板状の第１カバー受け座４１５を備えている。図７を参照すると、アングル部材４１４は、それらの一片が止め板４１２の外面に溶接で固定している。又、アングル部材４１４は、それらの他片が対向配置されている。
【００５６】
図６から図８を参照すると、一対のアングル部材４１４・４１４の他片には、第１カバー受け座４１５を突き合わせ溶接している。図８を参照すると、第１カバー受け座４１５は、第１カバー部材３１の内壁に接合したアングル部材３１１を支持できる。
【００５７】
図６（Ｂ）又は図７（Ｂ）を参照すると、第１カバー受け座４１５は、一対のボルト穴４５ｈ・４５ｈを開口している。ボルト穴４５ｈには、ボルトＢ３を挿入できる。一方、図８を参照すると、アングル部材３１１は、その他片にナットＮ３を接合している。ナットＮ３にボルトＢ３を締結することで、第１カバー受け座４１５は、第１カバー部材３１を着脱自在に固定できる。
【００５８】
図６又は図８を参照すると、固定軸４２は、一対のアングル部材４２１・４２１を備えている。一対のアングル部材４２１・４２１は、それらの内部に固定軸４２を配置している。又、一対のアングル部材４２１・４２１は、それらの一片にナットＮ２を溶接している。固定軸４２は、ナットＮ２の雌ねじに連通するボルト穴を開口している。
【００５９】
図６又は図８を参照して、固定軸４２を介して、ボルトＢ２をナットＮ２に締結することで、固定軸４２をボルト座４１３に向かって移動できる。固定軸４２を第１吊り金具１１ｈの凹部に係合することで、固定軸４２とボルト座４１３の間に第１吊り金具１１ｈを挟持できる。
【００６０】
図１から図８を参照すると、このように、第１取り付け金具４は、第１吊り金具１１ｈを利用して、外箱１に着脱自在に固定できる。又、第１取り付け金具４は、第１カバー部材３１を支持できると共に、第１カバー部材３１を着脱自在に固定できる。
【００６１】
（第２取り付け金具の構成）
次に、実施形態による受変電設備１０に備わる第２取り付け金具５の構成を説明する。図２を参照すると、外箱１は、一対の第２取り付け金具５・５を備えている。一対の第２取り付け金具５・５は、フランジ１１ｆの短辺側の背面板に配置されている。
【００６２】
図１３又は図１４を参照すると、第２取り付け金具５は、帯板状の固定座５１、Ｃ型クランプ５２、及び、アングル部材５３を備えている。固定座５１は、一対のボルト穴５１ｈ・５１ｈを開口している。
【００６３】
図１３又は図１４を参照すると、一対のボルト穴５１ｈ・５１ｈのピッチは、フランジ１１ｆ、及び蓋板１２の周囲に開口したボルト穴のピッチに合わせている。一組のボルトＢ１及びナットＮ１を用いて（図１４参照）、固定座５１は、フランジ１１ｆと蓋板２を共締めできる。
【００６４】
図１３又は図１４を参照すると、Ｃ型クランプ５２は、矩形の切り欠き５２ｋを一方の面から切り欠いている。切り欠き５２ｋには、フランジ１１ｆ、及び蓋板１２の周囲を導入できる。又、切り欠き５２ｋには、固定座５１の中央部を溶接で固定している。フランジ１１ｆ、及び蓋板１２の周囲を切り欠き５２ｋに導入後に、固定座５１は、フランジ１１ｆと蓋板２を共締めできる。
【００６５】
図１３又は図１４を参照すると、Ｃ型クランプ５２は、一対の雌ねじ５２ｓ・５２ｓを他方の面に螺設している。一方、アングル部材５３は、一対のボルト穴５３ｈ・５３ｈを一片５３１に開口している。一組のボルトＢ４・Ｂ４を用いて、アングル部材５３をＣ型クランプ５２に固定できる。
【００６６】
図１４を参照すると、アングル部材５３の他片５３２は、第２カバー部材３２の内壁に接合したアングル部材３２１を支持できる。図１３を参照すると、アングル部材５３の他片５３２は、一対のボルト穴５３ｈを先端部側に開口している。ボルト穴５３ｈには、ボルトＢ５を挿入できる。
【００６７】
一方、図１４を参照すると、アングル部材３２１は、その他片にナットＮ５を接合している。ナットＮ５にボルトＢ５を締結することで、アングル部材５３は、第２カバー部材３２を着脱自在に固定できる。
【００６８】
図１３又は図１４を参照すると、このように、第２取り付け金具５は、フランジ１１ｆ、及び蓋板１２の周囲に開口したボルト穴を利用して、外箱１に着脱自在に固定できる。又、第２取り付け金具５は、第２カバー部材３２を支持できると共に、第２カバー部材３２を着脱自在に固定できる。
【００６９】
（第３取り付け金具の構成）
次に、実施形態による受変電設備１０に備わる第３取り付け金具６の構成を説明する。図２を参照すると、外箱１は、一対の第３取り付け金具６・６をフランジ１１ｆの側辺側の側面板に配置している。なお、第２取り付け金具５と第３取り付け金具６は、同じものであるが、説明の便宜上、符号を変えて区別した。
【００７０】
図１３又は図１４を援用すると、第３取り付け金具６は、帯板状の固定座５１、Ｃ型クランプ５２、及び、アングル部材５３を備えている。固定座５１は、一対のボルト穴５１ｈ・５１ｈを開口している。
【００７１】
図１３又は図１４を参照すると、一対のボルト穴５１ｈ・５１ｈのピッチは、フランジ１１ｆ、及び蓋板１２の周囲に開口したボルト穴のピッチに合わせている。一組のボルトＢ１及びナットＮ１を用いて、固定座５１は、フランジ１１ｆと蓋板２を共締めできる。
【００７２】
図１３又は図１４を参照すると、Ｃ型クランプ５２は、矩形の切り欠き５２ｋを一方の面から切り欠いている。切り欠き５２ｋには、フランジ１１ｆ、及び蓋板１２の周囲を導入できる。又、切り欠き５２ｋには、固定座５１の中央部を溶接で固定している。フランジ１１ｆ、及び蓋板１２の周囲を切り欠き５２ｋに導入後に、固定座５１は、フランジ１１ｆと蓋板２を共締めできる。
【００７３】
図１３から図１４を参照すると、Ｃ型クランプ５２は、一対の雌ねじ５２ｓ・５２ｓを他方の面に螺設している。一方、アングル部材５３は、一対のボルト穴５３ｈ・５３ｈを一片５３１に開口している。一組のボルトＢ４・Ｂ４を用いて、アングル部材５３をＣ型クランプ５２に固定できる。
【００７４】
図１４を援用すると、アングル部材５３の他片５３２は、第３カバー部材３３の内壁に接合したアングル部材３３１を支持できる。図１３を参照すると、アングル部材５３の他片５３２は、一対のボルト穴５３ｈを先端部側に開口している。ボルト穴５３ｈには、ボルトＢ５を挿入できる。
【００７５】
一方、図１４を援用すると、アングル部材３３１は、その他片にナットＮ５を接合している。ナットＮ５にボルトＢ５を締結することで、アングル部材５３は、第３カバー部材３３を着脱自在に固定できる。
【００７６】
図１３又は図１４を援用すると、このように、第３取り付け金具６は、フランジ１１ｆ、及び蓋板１２の周囲に開口したボルト穴を利用して、外箱１に着脱自在に固定できる。又、第３取り付け金具６は、第３カバー部材３３を支持できると共に、第３カバー部材３３を着脱自在に固定できる。
【００７７】
（第４取り付け金具の構成）
次に、実施形態による受変電設備１０に備わる第４取り付け金具７の構成を説明する。図２を参照すると、第４取り付け金具７は、外箱１の斜面板に固定した第２吊り金具１２ｈを利用して、外箱１の斜面板に着脱自在に固定している。
【００７８】
図６又は図８を援用すると、第４取り付け金具７は、第１取り付け金具４の本体４１と円管状の固定軸４２を備えている。第１取り付け金具４の本体４１は、対向配置した一対のガイド板４１１・４１１、一対のガイド板４１１・４１１を外側から囲う一対の帯状の止め板４１２・４１２、及び、帯板状のボルト座４１３を備えている。
【００７９】
図６又は図８を援用すると、一対のガイド板４１１・４１１の間には、第２吊り金具１２ｈをその板厚方向から導入できる。又、一対のガイド板４１１・４１１は、それらの前部をボルト座４１３の底面に溶接で固定している。一対の止め板４１２・４１２は、それらの前部をボルト座４１３の底面に溶接で固定している。
【００８０】
図７を参照すると、ボルト座４１３は、一対のボルト穴４３ｈ・４３ｈを開口している。ボルト穴４３ｈには、長尺のボルトＢ２を挿入できる。
【００８１】
又、図６から図８を援用すると、第１取り付け金具４の本体４１は、一対のアングル部材４１４・４１４と帯板状の第２カバー受け座７１５を備えている。図７を参照すると、アングル部材４１４は、それらの一片が止め板４１２の外面に溶接で固定している。又、アングル部材４１４は、それらの他片が対向配置されている。なお、第１カバー受け座４１５と第２カバー受け座７１５は、同じものであるが、説明の便宜上、符号を変えて区別した。
【００８２】
図６から図８を援用すると、一対のアングル部材４１４・４１４の他片には、第２カバー受け座７１５を突き合わせ溶接している。図８を参照すると、第２カバー受け座７１５は、第４カバー部材３４ａ又は第４カバー部材３４ｂの内壁に接合したアングル部材３４１を支持できる。
【００８３】
図６（Ｂ）又は図７（Ｂ）を援用すると、第２カバー受け座７１５は、一対のボルト穴４５ｈ・４５ｈを開口している。ボルト穴４５ｈには、ボルトＢ３を挿入できる。一方、図８を参照すると、アングル部材３４１は、その他片にナットＮ３を接合している。ナットＮ３にボルトＢ３を締結することで、第２カバー受け座７１５は、第４カバー部材３４ａ又は第４カバー部材３４ｂを着脱自在に固定できる。
【００８４】
図６又は図８を参照すると、固定軸４２は、一対のアングル部材４２１・４２１を備えている。一対のアングル部材４２１・４２１は、それらの内部に固定軸４２を配置している。又、一対のアングル部材４２１・４２１は、それらの一片にナットＮ２を溶接している。固定軸４２は、ナットＮ２の雌ねじに連通するボルト穴を開口している。
【００８５】
図６又は図８を援用して、固定軸４２を介して、ボルトＢ２をナットＮ２に締結することで、固定軸４２をボルト座４１３に向かって移動できる。固定軸４２を第２吊り金具１２ｈの凹部に係合することで、固定軸４２とボルト座４１３の間に第２吊り金具１２ｈを挟持できる。
【００８６】
図１から図８を参照すると、このように、第４取り付け金具７は、第２吊り金具１２ｈを利用して、外箱１に着脱自在に固定できる。又、第４取り付け金具７は、第４カバー部材３４ａ又は第４カバー部材３４ｂを支持できると共に、第４カバー部材３４ａ又は第４カバー部材３４ｂを着脱自在に固定できる。
【００８７】
（第１カバー部材の構成）
次に、実施形態による第１カバー部材３１の構成を説明する。図９を参照すると、第１カバー部材３１は、箱状の中央カバー３１ｃと一対の側面カバー３１ｓ・３１ｓで構成している。中央カバー３１ｃは、第１カバー部材３１の中央部に配置している。一対の側面カバー３１ｓ・３１ｓは、中央カバー３１ｃの両側に延在している。
【００８８】
図９を参照すると、側面カバー３１ｓは、その背面と下面を開放した樋状に形成している。又、側面カバー３１ｓは、その傾斜面がフランジ１１ｆと対向するように配置されるので、フランジ１１ｆと蓋板２の隙間から噴出した冷却媒体を外部に飛散させることなく、第１カバー部材３１の直下に冷却媒体を滴下できる。
【００８９】
図９を参照すると、一方の側面カバー３１ｓは、封鎖板３１２を端部に固定している。同様に、他方の側面カバー３１ｓは、封鎖板３１２を端部に固定している。これらの封鎖板３１２には、隣接配置した第３カバー部材３３を第１カバー部材３１に連結するためのアングル部材３１３を固定できる長穴３１ｈを開口している（図９（Ｃ）参照）。
【００９０】
又、図９を参照すると、側面カバー３１ｓは、その内壁にアングル部材３１１を溶接で固定している。図８を参照すると、第１カバー部材３１は、フランジ１１ｆの長辺側の前面板に向かって移動することで、アングル部材３１１を第１カバー受け座４１５に載置できる。そして、ナットＮ３にボルトＢ３を締結することで、第１カバー受け座４１５は、第１カバー部材３１を固定できる。
【００９１】
（第２カバー部材の構成）
次に、実施形態による第２カバー部材３２の構成を説明する。図１０を参照すると、第２カバー部材３２は、その背面と下面を開放した樋状に形成している。又、第２カバー部材３２は、その傾斜面がフランジ１１ｆと対向するように配置されるので、フランジ１１ｆと蓋板２の隙間から噴出した冷却媒体を外部に飛散させることなく、第２カバー部材３２の直下に冷却媒体を滴下できる。
【００９２】
図１０を参照すると、第２カバー部材３２は、封鎖板３２２を両端部に固定している。これらの封鎖板３２２には、隣接配置した第４カバー部材３４ａ又は第４カバー部材３４ｂを第２カバー部材３２に連結するためのＶ字状部材３２３（図２参照）を固定できるナットＮ６を内壁に溶接している（図１０（Ｃ）参照）。
【００９３】
又、図１０を参照すると、第２カバー部材３２は、その内壁にアングル部材３２１を溶接で固定している（図１４参照）。第２カバー部材３２は、フランジ１１ｆの短辺側の背面板に向かって移動することで、アングル部材３２１をアングル部材５３の他片５３２に載置できる。そして、ナットＮ５にボルトＢ５を締結することで、アングル部材５３は、第２カバー部材３２を固定できる。
【００９４】
（第３カバー部材の構成）
次に、実施形態による第３カバー部材３３の構成を説明する。図１１を参照すると、第３カバー部材３３は、その背面と下面を開放した樋状に形成している。又、第３カバー部材３３は、その傾斜面がフランジ１１ｆと対向するように配置されるので、フランジ１１ｆと蓋板２の隙間から噴出した冷却媒体を外部に飛散させることなく、第３カバー部材３３の直下に冷却媒体を滴下できる。
【００９５】
図１１を参照すると、第３カバー部材３３は、封鎖板３３２を両端部に固定している。これらの封鎖板３３２には、隣接配置した第４カバー部材３４ａ又は第４カバー部材３４ｂを第３カバー部材３３に連結するためのＶ字状部材３３３（図２参照）を固定できるナットＮ７を内壁に溶接している（図１１（Ｂ）参照）。
【００９６】
又、図１１を参照すると、第３カバー部材３３は、その内壁にアングル部材３３１を溶接で固定している（図１４参照）。第３カバー部材３３は、フランジ１１ｆの側辺側の背面板に向かって移動することで、アングル部材３３１をアングル部材５３の他片５３２に載置できる。そして、ナットＮ５にボルトＢ５を締結することで、アングル部材５３は、第３カバー部材３３を固定できる。
【００９７】
（第４カバー部材の構成）
次に、実施形態による第４カバー部材３４ａ・３４ｂの構成を説明する。なお、第４カバー部材３４ａと第４カバー部材３４ｂは、後述するアングル部材４３１と切り欠き３４ｋが線対称に配置されるだけであるので、第４カバー部材３４ａを代表して構成を説明する。
【００９８】
図１２を参照すると、第４カバー部材３４ａは、その背面と下面を開放した樋状に形成している。又、第４カバー部材３４ａは、その傾斜面がフランジ１１ｆと対向するように配置されるので、フランジ１１ｆと蓋板２の隙間から噴出した冷却媒体を外部に飛散させることなく、第４カバー部材３４ａの直下に冷却媒体を滴下できる。
【００９９】
図１２を参照すると、第４カバー部材３４ａは、封鎖板３４２を両端部に固定している。これらの封鎖板３４２には、隣接配置した第３カバー部材３３を第４カバー部材３４ａ又は第４カバー部材３４ｂに連結するためのＶ字状部材３２３（図２参照）を固定できるナットＮ８を内壁に溶接している（図１２（Ｃ）参照）。
【０１００】
又、図１２を参照すると、第４カバー部材３４ａは、その内壁にアングル部材３４１を溶接で固定している（図８参照）。第４カバー部材３４ａは、フランジ１１ｆの斜辺側の斜面板に向かって移動することで、アングル部材３４１を第２カバー受け座７１５に載置できる。そして、ナットＮ３にボルトＢ３を締結することで、第２カバー受け座７１５は、第４カバー部材３４ａを固定できる。
【０１０１】
以上のように、ＶＣＴを一例として、受変電設備の構造を説明したが、本発明は、この構造に限定するものではない。
【０１０２】
［受変電設備の作用］
次に、実施形態による受変電設備１０の作用及び効果を説明する。
【０１０３】
図１から図３を参照すると、実施形態による受変電設備１０は、外箱１と蓋板２の接合部の上方と側方を覆う複数のカバー部材を備えているので、冷却媒体を外部に飛散させることなく、外箱１の周囲に冷却媒体を滴下できる。これにより、冷却媒体が外部に飛散することを抑制できる。
【０１０４】
図１から図１４を参照すると、外箱は、その上面の周囲にフランジ１１ｆを形成すると共に、直方体の二つの隅部を斜面で外形を形成した外箱１からなり、受変電設備１０は、フランジ１１ｆの長辺側の上方と側方を覆う第１カバー部材３１と、フランジ１１ｆの短辺側の上方と側方を覆う第２カバー部材３２と、フランジ１１ｆの側辺側の上方と側方を覆う一対の第３カバー部材３３・３３と、フランジ１１ｆの斜辺側の上方と側方を覆う一組の第４カバー部材３４ａ・３４ｂを備えているので、外箱１とフランジ１１ｆの周囲を覆うことができる。
【０１０５】
又、図１を参照すると、受変電設備１０は、各カバー部材が分割式になっているので、ブッシング１２ｂ（図１５）やブッシングフランジ２１ｍ（図１）に邪魔されることなく、組み立てできる。
【０１０６】
本発明は、外箱と蓋板の隙間から冷却媒体が外部に飛散することを抑制する受変電設備及びカバーを開示したが、本発明による受変電設備及びカバーは、冷却媒体を収容した設備に応用することが期待される。
【符号の説明】
【０１０７】
１０    受変電設備（ＶＣＴ）
１      外箱
１１ｆ  フランジ
１１ｈ  吊り金具（長辺側）
１２ｈ  吊り金具（斜辺側）
１２１  一次導体接続用端子（ＣＴ用）
１２２  一次導体接続用端子（ＶＴ用）
１２ｂ  ブッシング
２      蓋板
２１ｍ  ブッシングフランジ
２１ｈ  ケーブル導出穴
３      カバー
３１    第１カバー部材
３１１  アングル部材
３１３  アングル部材
３２    第２カバー部材
３２３  Ｖ字状部材
３３    第３カバー部材
３３３  Ｖ字状部材
３４    第４カバー部材
４      第１取り付け金具
４１    第１取り付け金具の本体
４１１  ガイド板
４１２  止め板
４１３  ボルト座
４１４  アングル部材
４１５  第１カバー受け座
４２    固定軸
４２１  アングル部材
４５ｈ  ボルト穴
５  第２取り付け金具
５１  帯板状の固定座
５２  Ｃ形クランプ
５３  アングル部材
６  第３取り付け金具（第２取り付け金具５と同形）
７  第４取り付け金具（第１取り付け金具４と同形）
Ｑ  冷却媒体
【図１】
2019009350.tif 000003
【図２】
2019009350.tif 000004
【図３】
2019009350.tif 000005
【図４】
2019009350.tif 000006
【図５】
2019009350.tif 000007
【図６】
2019009350.tif 000008
【図７】
2019009350.tif 000009
【図８】
2019009350.tif 000010
【図９】
2019009350.tif 000011
【図１０】
2019009350.tif 000012
【図１１】
2019009350.tif 000013
【図１２】
2019009350.tif 000014
【図１３】
2019009350.tif 000015
【図１４】
2019009350.tif 000016
【図１５】
2019009350.tif 000017
【図１６】
2019009350.tif 000018